(57)【要約】【課題】個人情報などの複数のユーザデータを同時に選択できるようにすることを目的とする。【解決手段】複数のユーザデータを格納し、操作により選択、閲覧する携帯通信端末において、複数のユーザデータを表示し、ユーザデータの表示位置にカーソルを合わせ、ユーザデータの選択開始を示すキーを押して、選択したいユーザデータを選択し、ユーザデータの選択終了を示すキーを押すことでユーザデータの選択を行うことを特徴とする。特に、ユーザデータは、ユーザの個人情報である。【選択図】図２
2007174321.tif 000002
【特許請求の範囲】
【請求項１】
複数のユーザデータを格納し、操作により選択、閲覧する携帯通信端末において、
前記複数のユーザデータを表示し、前記ユーザデータの表示位置にカーソルを合わせ、前記ユーザデータの選択開始を示すキーを押して、選択したいユーザデータを選択し、ユーザデータの選択終了を示すキーを押すことでユーザデータの選択を行うことを特徴とする携帯通信端末。
【請求項２】
前記ユーザデータは、ユーザの個人情報であることを特徴とする請求項１記載の携帯通信端末。
【請求項３】
前記ユーザデータは、受信したメールが格納される受信メールボックスであることを特徴とする請求項１記載の携帯通信端末。
【請求項４】
前記ユーザデータは、送信済みのメールが格納される送信メールボックスであることを特徴とする請求項１記載の携帯通信端末。
【請求項５】
前記ユーザデータは、画像を保存するアプリケーションであることを特徴とする請求項１記載の携帯通信端末。  
【請求項６】
前記選択されたユーザデータは、移動の操作に使われることを特徴とする請求項１記載の携帯通信端末。
【請求項７】
前記選択されたユーザデータは、消去されることを特徴とする請求項１記載の携帯通信端末。
【請求項８】
前記選択されたユーザデータは、コピーされることを特徴とする請求項１記載の携帯通信端末。
【請求項９】
携帯電話機であることを特徴とする請求項１から８のいずれか１項記載の携帯通信端末。
【請求項１０】
前記ユーザデータの選択には、ポインティングデバイスを用いることを特徴とする請求項１記載の携帯通信端末。
【請求項１１】
ＰＤＡ（Personal Digital Assistant）であることを特徴とする請求項１０記載の携帯通信端末。
【請求項１２】
複数のユーザデータを格納し、操作により選択、閲覧する携帯通信端末の駆動方法において、
前記複数のユーザデータを表示するステップと、
前記ユーザデータの表示位置にカーソルを合わせ、ユーザデータの選択開始を示すキーを押すステップと、
選択したいユーザデータを選択し、ユーザデータの選択終了を示すキーを押すステップと、を有することを特徴とする携帯通信端末の駆動方法。
【請求項１３】
複数のユーザデータを格納し、操作により選択、閲覧する携帯通信端末の駆動プログラムにおいて、
前記複数のユーザデータを表示する処理と、
前記ユーザデータの表示位置にカーソルを合わせ、ユーザデータの選択開始を示すキーを押す処理と、
選択したいユーザデータを選択し、ユーザデータの選択終了を示すキーを押す処理と、を実行させることを特徴とする携帯通信端末の駆動プログラム。
【発明の詳細な説明】
【技術分野】
【０００１】
本発明は、携帯通信端末、その駆動方法及びその駆動プログラムに関し、特に、ユーザデータを選択し処理することが可能な携帯通信端末、その駆動方法及びその駆動プログラムに関する。
【背景技術】
【０００２】
近年、携帯電話機、ＰＤＡ（Personal Digital Assistant）などの携帯通信端末が普及している。
【０００３】
現在の携帯電話機などにおいて、ユーザデータの選択を行う際、特に、複数のユーザデータを選択する場合、フォルダにまとめたユーザデータをフォルダ毎に選択する、又はユーザデータを一つずつ選択するという方法がある。
【０００４】
従来技術としては、以下にあげる文献がある。
【０００５】
特許文献１には、コピー開始位置を選択する画面を表示している状態で、特定のキーが押下されると、表示中の全ての文字データをコピー範囲として選択し、コピー終了位置を確認する画面において選択された文字データを反転表示する技術が開示されている。
【０００６】
また、特許文献２には、カーソルを範囲開始位置に置き、範囲終了の箇所までカーソルを移動させて、登録キーを押す技術が開示されている。
【０００７】
特許文献３には、終点指定用のカーソルを、始点と同じ行又は同じ列以外に移動させることを抑止する構成が開示されている。
【０００８】
特許文献４には、複数のカーソルを用い、選択したカーソルにそのカーソルのプレゼンテーションにおける属性を示す属性情報を付与し、また、複数のカーソルの中から任意のカーソルを選択して移動する技術が開示されている。
【特許文献１】特開２００２−２９０５４３号公報
【特許文献２】特開平０４−１２７３５４号公報
【特許文献３】特開平０５−０８９１１５号公報
【特許文献４】特開平１１−１９４８７１号公報
【発明の開示】
【発明が解決しようとする課題】
【０００９】
しかし、上記の従来技術は、電話帳などの個人情報を対象としたものはない。
【００１０】
また、フォルダにまとめられていない任意のユーザデータを選択する場合において、不便さを感じる状況が生じる。
【００１１】
そこで、本発明は、携帯通信端末において、個人情報などの複数のユーザデータを同時に選択できるようにすることを目的とする。
【課題を解決するための手段】
【００１２】
本発明は、上記課題を解決するための手段として、複数のユーザデータを格納し、操作により選択、閲覧する携帯通信端末において、前記複数のユーザデータを表示し、前記ユーザデータの表示位置にカーソルを合わせ、前記ユーザデータの選択開始を示すキーを押して、選択したいユーザデータを選択し、ユーザデータの選択終了を示すキーを押すことでユーザデータの選択を行うことを特徴とする。
【００１３】
また、本発明は、複数のユーザデータを格納し、操作により選択、閲覧する携帯通信端末の駆動方法において、前記複数のユーザデータを表示するステップと、前記ユーザデータの表示位置にカーソルを合わせ、ユーザデータの選択開始を示すキーを押すステップと、選択したいユーザデータを選択し、ユーザデータの選択終了を示すキーを押すステップと、を有することを特徴とする。
【００１４】
また、本発明は、複数のユーザデータを格納し、操作により選択、閲覧する携帯通信端末の駆動プログラムにおいて、前記複数のユーザデータを表示する処理と、前記ユーザデータの表示位置にカーソルを合わせ、ユーザデータの選択開始を示すキーを押す処理と、選択したいユーザデータを選択し、ユーザデータの選択終了を示すキーを押す処理と、を実行させることを特徴とする。
【発明の効果】
【００１５】
本発明によれば、簡単な操作により一度の操作でユーザデータの選択を行うことができるようになり、携帯電話機、ＰＤＡなどの携帯通信端末の操作性を向上させることが可能となる。
【発明を実施するための最良の形態】
【００１６】
以下、添付図面を参照して本発明を実施するための最良の実施の形態を説明する。
【００１７】
［第１の実施形態］
図１は、本発明の第１の実施形態で使用される携帯電話機の構成を示す概略図である。
【００１８】
図１に示すように、本実施の形態の携帯電話機１は、ユーザの個人情報などのユーザデータを表示する表示部１１と、ユーザデータにカーソルを合わせたり選択したりするなどの操作をする操作部１２とを、主に有している。
【００１９】
図２は、本実施の形態の操作状況を示す平面図である。また、図３は、本実施の形態の動作を示すフローチャートである。  
【００２０】
まず、図２（ａ）に示すように、電話帳などのユーザデータを参照できるとともに、選択することができるアプリケーション画面を開く（ステップＳ１）。
【００２１】
次いで、選択したいユーザデータの表示位置にキーでカーソルを合わせ、図２（ｂ）に示すように、ユーザデータの選択を開始するキーを押す（ステップＳ２）。これで、複数のユーザデータの選択を開始する状態になる。
【００２２】
この状態において、図２（ｃ）に示すように、カーソルを移動させる（ステップＳ３）。開始状態において、カーソルがあった箇所にあったユーザデータも選択されるが、その後、選択されたユーザデータも選択される。
【００２３】
いくつかのユーザデータを選択したら、図２（ｄ）に示すように、選択を終了するキーを押し（ステップＳ４）、ユーザデータの選択を終了する。
【００２４】
図２（ｅ）に示すように、この状態で、いくつかのユーザデータを選択した状態になっている。
【００２５】
この状態から、図示しない、これらのデータを処理するキーを押下することによって、これらのユーザデータを処理することが可能となる。
【００２６】
これらの処理の例としては、データの保存フォルダを移動させたり、データを消去したり、データをコピーしたり、データを貼り付けたりすることがあげられる。
【００２７】
また、本実施の形態では、ユーザデータの例として、電話帳を例に挙げたが、それ以外に、受信したメールが格納される受信メールボックスや送信済みのメールが格納される送信メールボックス、写真や動画などの画像を保存する保存フォルダのアプリケーションがあげられる。
【００２８】
［第２の実施形態］
本発明の第２の実施形態としては、第１の実施形態で説明したキーを利用した選択方法だけでなく、マウス、ペン、トラックボールなどのポインティングデバイスを使用することが可能である。
【００２９】
この場合、第１の実施形態において、ステップＳ２の選択開始のユーザデータにカーソルを合わせる処理と、ステップＳ３の選択する処理とをポインティングデバイスを用いて行う。
【００３０】
図４は、その様子を示す平面図である。操作の内容は、図２の場合と同様なので説明を省略する。
【００３１】
図４は、ＰＤＡ（Personal Digital Assistant）の場合の例を示す。
【００３２】
図４に示すように、本実施の形態では、開始、終了のキーも画面上に表示されていて、開始、終了のキーも画面上に表示されていて、カーソルで選択するようになっている。
【産業上の利用可能性】
【００３３】
本発明は、携帯電話機、ＰＤＡ（Personal Digital Assistant）などの携帯通信端末に利用することができる。
【図面の簡単な説明】
【００３４】
【図１】本発明の第１の実施形態で使用される携帯電話機の構成を示す概略図である。
【図２】本発明の第１の実施形態の操作状況を示す平面図である。
【図３】本発明の第１の実施形態の動作を示すフローチャートである。
【図４】本発明の第２の実施形態における操作状況を示す平面図である。
【符号の説明】
【００３５】
１  携帯電話機
１１  表示部
１２  操作部
【図１】
2007174321.tif 000003
【図２】
2007174321.tif 000004
【図３】
2007174321.tif 000005
【図４】
2007174321.tif 000006